(57)【要約】【課題】複数の楽曲情報を持つ楽曲群から、楽曲情報の具体値をいくつか指定することで、絞り込み検索を行う楽曲検索装置において、従来手法では、操作回数が多くなってしまうという課題や、表示が多くなってしまうという課題があった。【解決手段】楽曲検索装置において、１つめの楽曲情報の種類とその具体値の指定による絞り込み検索を行った後、検索結果に対して１つめに指定した楽曲情報以外の楽曲情報における具体値の中から適当なものだけを自動的に抽出して表示し、ユーザーに選択させることで、操作回数が少なく、第１条件検索後の分類一覧表示を適当な数に抑えた、絞り込み検索が可能となる。【選択図】図１
2006293896.tif 000002
【特許請求の範囲】
【請求項１】
それぞれの楽曲について複数の楽曲情報をもつ楽曲群の中から、いくつかの楽曲情報の具体値を指定することで、楽曲の絞り込み検索を行う楽曲検索装置であって、
１つめの楽曲情報の種類とその具体値を指定する検索条件指定部と、
前記検索条件指定部で指定された検索条件によって楽曲を検索する楽曲検索部と、
前記楽曲検索部で検索された楽曲について、１つめに指定した楽曲情報以外の各楽曲情報における具体値の分布を調べ、各楽曲情報における具体値の分布が偏っていないもののみを自動的に抽出する分類抽出部と、
抽出された分類一覧を表示する分類結果表示部と、
表示された分類一覧から分類の１つを指定する分類結果指定部と、
前記分類結果指定部で指定された分類でさらに絞り込まれた楽曲一覧を表示する検索結果表示部と
を備えた楽曲検索装置。
【請求項２】
それぞれの楽曲について複数の楽曲情報をもつ楽曲群の中から、いくつかの楽曲情報の具体値を指定することで、楽曲の絞り込み検索を行う楽曲検索装置であって、
１つめの楽曲情報の種類とその具体値を指定する検索条件指定部と、
前記検索条件指定部で指定された検索条件によって楽曲を検索する楽曲検索部と、
前記楽曲検索部で検索された楽曲について、１つめに指定した楽曲情報以外の各楽曲情報における具体値の分布を調べ、各楽曲情報における具体値が複数のカテゴリ（分類）に分かれているもののみを自動的に抽出する分類抽出部と、
抽出された分類一覧を表示する分類結果表示部と、
表示された分類一覧から分類の１つを指定する分類結果指定部と、
前記分類結果指定部で指定された分類でさらに絞り込まれた楽曲一覧を表示する検索結果表示部と
を備えた楽曲検索装置。
【請求項３】
前記分類抽出部は、前記楽曲検索部で検索された楽曲について、１つめに指定した楽曲情報以外の各楽曲情報における具体値の分散値を算出し、分散値が高い検索情報の具体値のみを抽出することで、各楽曲情報における具体値の分布が偏っていないもののみを自動的に抽出する
ことを特徴とする、請求項１記載の楽曲検索装置。
【請求項４】
前記分類抽出部は、前記楽曲検索部で検索された楽曲について、１つめに指定した楽曲情報以外の各楽曲情報における具体値を調べ、絞り込み効率の悪い具体値については選択しない
ことを特徴とする、請求項１〜３のいずれか１項記載の楽曲検索装置。
【請求項５】
前記分類抽出部は、前記楽曲検索部で検索された楽曲について、１つめに指定した楽曲情報以外の各楽曲情報における具体値を調べ、一定数以上の楽曲が存在する具体値のみを抽出する
ことを特徴とする、請求項１〜４のいずれか１項記載の楽曲検索装置。
【請求項６】
楽曲情報の種類に応じて、前記分類抽出の方法を変更する
ことを特徴とする、請求項１〜５のいずれか１項記載の楽曲検索装置。
【請求項７】
前記分類結果表示部は、楽曲情報の種類が同じ分類については、つなげて一覧表示する
ことを特徴とする、請求項１〜６のいずれか１項記載の楽曲検索装置。
【請求項８】
前記分類結果表示部は、前記検索条件指定部で指定された検索条件の種類によって、表示する同じ楽曲情報に属する分類群間の優先順位を決定する
ことを特徴とする、請求項７記載の楽曲検索装置。
【請求項９】
前記分類結果表示部は、ユーザーの使用履歴によって、表示する同じ楽曲情報に属する分類群間の優先順位を決定する
ことを特徴とする、請求項７記載の楽曲検索装置。
【請求項１０】
前記分類結果表示部は、同じ楽曲情報に属する分類数が多い分類群は後ろに表示する
ことを特徴とする、請求項７記載の楽曲検索装置。
【請求項１１】
前記分類結果表示部は、ユーザーの使用履歴によって、表示する分類の優先順位を決定する
ことを特徴とする、請求項１〜６のいずれか１項記載の楽曲検索装置。
【請求項１２】
それぞれのコンテンツについて複数のコンテンツ情報をもつコンテンツ群の中から、いくつかのコンテンツ情報の具体値を指定することで、コンテンツの絞り込み検索を行うコンテンツ検索装置であって、
１つめのコンテンツ情報の種類とその具体値を指定する検索条件指定部と、
前記検索条件指定部で指定された検索条件によってコンテンツを検索するコンテンツ検索部と、
前記コンテンツ検索部で検索されたコンテンツについて、１つめに指定したコンテンツ情報以外の各コンテンツ情報における具体値の分布を調べ、各コンテンツ情報における具体値の分布が偏っていないもののみを自動的に抽出する分類抽出部と、
抽出された分類一覧を表示する分類結果表示部と、
表示された分類一覧から分類の１つを指定する分類結果指定部と、
前記分類結果指定部で指定された分類でさらに絞り込まれたコンテンツ一覧を表示する検索結果表示部と
を備えたコンテンツ検索装置。
【請求項１３】
それぞれのコンテンツについて複数のコンテンツ情報をもつコンテンツ群の中から、いくつかのコンテンツ情報の具体値を指定することで、コンテンツの絞り込み検索を行うコンテンツ検索装置であって、
１つめのコンテンツ情報の種類とその具体値を指定する検索条件指定部と、
前記検索条件指定部で指定された検索条件によってコンテンツを検索するコンテンツ検索部と、
前記コンテンツ検索部で検索されたコンテンツについて、１つめに指定したコンテンツ情報以外の各コンテンツ情報における具体値の分布を調べ、各コンテンツ情報における具体値が複数のカテゴリ（分類）に分かれているもののみを自動的に抽出する分類抽出部と、
抽出された分類一覧を表示する分類結果表示部と、
表示された分類一覧から分類の１つを指定する分類結果指定部と、
前記分類結果指定部で指定された分類でさらに絞り込まれたコンテンツ一覧を表示する検索結果表示部と
を備えたコンテンツ検索装置。
【発明の詳細な説明】
【技術分野】
【０００１】
本発明は、楽曲検索装置に関するものであり、より特定的には、楽曲に関する１つ以上の楽曲情報を指定することで、ユーザーが聴きたいと思う楽曲を検索する、楽曲検索装置、楽曲検索方法、および、楽曲検索プログラムに関するものである。
【背景技術】
【０００２】
近年、ＨＤＤ等の記憶装置の大容量化によって、音楽等のコンテンツを大量に蓄積しておくことができるようになり、ＨＤＤ携帯音楽プレーヤーやＨＤＤカーナビ等の登場によってＣＤ・ＭＤ等のメディアを持ち運ばなくても大量の楽曲が聴けるようになっている。
【０００３】
また、ＣＤＤＢ等の楽曲情報データベースから楽曲情報（歌手名、アルバム名、曲名、ジャンル、年代など）の取得が可能となり、様々な条件から楽曲を検索することが可能となっている。
【０００４】
大量の楽曲を蓄積することができるようになったことで、多くの楽曲の中から自分の聴きたい楽曲を簡単に検索するための検索技術が重要になっている。特に車の中での操作は安全上の観点からも、自分の聴きたい曲を効率のよく検索する技術が要望されている。
【０００５】
複数の検索条件による楽曲の絞り込み検索技術の従来例としては下記のようなものがある。
【０００６】
（従来例１）
まず楽曲情報の種類を指定してから、その楽曲情報の具体値を指定することで、楽曲の絞り込み検索を行い、この操作を繰り返すことによって、自分の聴きたい楽曲を選択する方法がある。
【０００７】
（従来例２）
１つめの楽曲情報の種類とその具体値の指定による絞り込み検索を行った後、２つめのの楽曲情報の種類を選択させるのではなく、検索結果に対して１つめに指定した楽曲情報以外の楽曲情報における具体値を一覧表示する方法がある（特許文献１）。
【特許文献１】特開平７−３１９９０５号公報
【特許文献２】特開２００４−８６１８９号公報
【発明の開示】
【発明が解決しようとする課題】
【０００８】
しかしながら、上記従来例１は、１つの条件による絞り込みを行うのに、「楽曲情報の種類の指定」と「選択された楽曲情報の具体値を指定」という２つの操作が必要であるため、操作回数が多くなってしまうという欠点があった。
【０００９】
また、上記従来例２は、１つめの検索条件によって絞り込み検索を行った後、２つめに検索可能な楽曲情報の具体値が全て表示されてしまうため、表示される分類一覧が多くなってしまうという欠点があった。
【００１０】
以上のような理由から、ＨＤＤカーナビ等の車載向け楽曲検索装置は、楽曲情報として多様な情報を持っていながら、安全面の理由からそれらの条件を組み合わせた絞り込み検索を実現できなかった。
【００１１】
そこで、本発明は上記のような課題に鑑みてなされたものであり、楽曲検索装置において、１つめの楽曲情報の種類とその具体値の指定による絞り込み検索を行った後、検索結果に対して１つめに指定した楽曲情報以外の楽曲情報における具体値の中から適当なものだけを自動的に抽出して表示し、ユーザーに選択させることで、操作回数が少なく、第１条件検索後の分類一覧表示を適当な数に抑えた、絞り込み検索を実現することを目的とする。
【課題を解決するための手段】
【００１２】
上記目的を達成するため、本発明に係る楽曲検索装置は、それぞれの楽曲について複数の楽曲情報をもつ楽曲群の中から、いくつかの楽曲情報の具体値を指定することで、楽曲の絞り込み検索を行う楽曲検索装置であって、１つめの楽曲情報の種類とその具体値を指定する検索条件指定部と、前記検索条件指定部で指定された検索条件によって楽曲を検索する楽曲検索部と、検索結果について１つめに指定した楽曲情報以外の各楽曲情報における具体値の分布を調べて、各楽曲情報における具体値が複数のカテゴリに分かれているもののみ（各楽曲情報における具体値の分布が偏っていないもののみ）を自動的に抽出する分類抽出部と、抽出された分類一覧を表示する分類結果表示部と、表示された分類一覧から分類の１つを指定する分類結果指定部と、前記分類結果指定部で指定された分類でさらに絞り込まれた楽曲一覧を表示する検索結果表示部とを備えた楽曲検索装置である。
【発明の効果】
【００１３】
以上の説明から明らかなように、本発明に係る楽曲検索装置によれば、１つめの楽曲情報の種類とその具体値の指定による絞り込み検索を行った後、検索結果に対して１つめに指定した楽曲情報以外の楽曲情報における具体値の中から適当なものだけを自動的に抽出して表示し、ユーザーに選択させることで、操作回数が少なく、第１条件検索後の分類一覧表示を適当な数に抑えた、絞り込み検索が可能となる。以上により、少ない操作かつ少ない表示で、複数の検索条件を組み合わせた絞り込み選曲が実現できるため、車の中でも簡単かつ安全に楽曲の絞込検索を行うことが可能となる。
【発明を実施するための最良の形態】
【００１４】
以下、図面を用いて本発明に係る楽曲検索装置の詳細な説明を行う。なお、本発明の実施の形態に係る楽曲検索システムの例としては、大量の楽曲データを蓄積し、再生を行うことが可能なオーディオ機器、ホームサーバ、オーディオ機能付きカーナビ、携帯音楽プレーヤー、モバイル端末、ＰＣ用音楽再生アプリケーション等の楽曲検索機能を備える楽曲検索システムである。
【００１５】
（実施の形態１）
以下、実施の形態１に係る楽曲検索装置について説明する。実施の形態１に係る楽曲検索装置は、それぞれの楽曲について複数の楽曲情報をもつ楽曲群の中から、いくつかの楽曲情報の具体値を指定することで、楽曲の絞り込み検索を行う楽曲検索装置であり、複数曲からなるプレイリストを作成することを目的とした楽曲検索装置である。
【００１６】
図１は、実施の形態１に係る楽曲検索装置の構成を示すブロック図である。
【００１７】
図１において、楽曲検索装置は、楽曲データ格納部１０１と、検索条件指定部１０４と、楽曲検索部１０７と、分類抽出部１０８と、分類結果表示部１０９と、分類結果指定部１１０と、検索結果表示部１１１とを備えている。また、楽曲データ格納部１０１は、楽曲データベース１０２と、楽曲情報データベース１０３とを含んでいて、検索条件指定部１０４は、楽曲情報指定部１０５と具体値指定部１０６とを含んでいる。
【００１８】
まず、図１の構成の概要を説明する。楽曲データ格納部１０１は、楽曲データと楽曲情報データを格納する。検索条件指定部１０４は、１つめの検索条件をユーザーに指定させる。楽曲検索部１０７は、楽曲データ格納部１０１に格納された楽曲の中から、検索条件指定部１０４で指定された検索条件に合致した楽曲を検索する。分類抽出部１０８は、楽曲検索部１０７で絞り込み検索された楽曲に対して、検索条件指定部１０４で指定した楽曲情報以外の楽曲情報における具体値（分類）の中から適当なものだけを自動的に抽出する。分類結果表示部１０９は、分類抽出部１０８で抽出された分類一覧を表示する。分類結果指定部１１０は、分類結果表示部１０９で表示された分類一覧の中から１つをユーザーに指定させる。検索結果表示部１１１は、分類結果指定部１１０で指定された分類に該当する楽曲一覧を表示する。
【００１９】
以下、各部の詳細を説明する。
【００２０】
楽曲データ格納部１０１は、複数の楽曲データと楽曲情報とを対応付けて格納する。
【００２１】
楽曲データベース１０２は、複数の楽曲について音楽信号を格納する。これらの音楽信号は、楽曲を識別するための楽曲ＩＤ（例えば、曲名や曲番号等）によって、所望の音楽信号のデータが呼び出される。これらの音楽信号は、例えば、リニアＰＣＭによる波形データや、ＭＰ３、ＡＡＣなどの圧縮されたデータとして格納されている。
【００２２】
楽曲情報データベース１０３は、歌手名、アルバム名、曲名、ジャンル、発売年、印象値、ヒット情報等の楽曲に関する情報を、楽曲データベース１０２内の各楽曲の楽曲ＩＤと対応付けて格納する。
【００２３】
実施の形態１では、楽曲データベース１０２、楽曲情報データベース１０３という２つのデータベースによって楽曲データ格納部１０１が構成される。ここで、楽曲データ格納部１０１は、複数の楽曲データと、楽曲情報とを対応付けて格納するものであればよく、１つのデータベースとして構成されていてもよい。
【００２４】
楽曲条件指定部１０４は、１つめの検索条件をユーザーに指定させる。実施の形態１において、楽曲条件指定部１０４は、楽曲情報指定部１０５と、具体値指定部１０６からなる。
【００２５】
楽曲情報指定部１０５は、「歌手名」などの検索条件となる楽曲情報の種類を一覧表示して、タッチパネルやリモコン等の入力デバイスを使用してユーザーにそのうちの１つを指定させる。
【００２６】
具体値指定部１０６は、楽曲情報指定部１０５で指定された楽曲情報の種類の具体値で、楽曲情報データベース１０３に存在するもの全てを一覧表示して、ユーザーに指定させる。例えば、楽曲情報指定部１０５で「年代」が指定されたとすると、「１９６０年代」、「１９７０年代」、「１９８０年代」、「１９９０年代」、「２０００年代」といった楽曲情報データベース１０３に存在する「年代」の具体値が一覧表示され、タッチパネルやリモコン等の入力デバイスを用いてユーザーにそのうちの１つを指定させる。
【００２７】
楽曲検索部１０７は、楽曲情報データベース１０３に存在する楽曲の中から、検索条件指定部１０４で指定された検索条件に合致した曲を検索して、その楽曲ＩＤを記憶するなどして検索結果を保持する。
【００２８】
分類抽出部１０８は、楽曲検索部１０７で絞り込まれた楽曲について、検索情報指定部１０５で指定した楽曲情報以外の各楽曲情報における具体値の分布を調べ、各楽曲情報における具体値の分布が偏っていないもののみを自動的に抽出する。
【００２９】
以下、分類抽出部１０８について、楽曲情報の１つである「年代」を例に挙げて詳しく説明する。本実施の形態１においては、あらかじめ楽曲データベース１０２内に蓄積されているそれぞれの楽曲に対して、発売された年を楽曲情報データベース１０３に楽曲情報の１つとして登録しておく。いま、楽曲検索部１０７で絞り込まれた楽曲群について、年代の分布図を３通り示す（図２）。図２−ａにおいては、楽曲群の年代が「１９９０年代」のみに偏っている。この場合、年代では絞り込み効果が全く無いので、年代に対する分類は抽出しない。図２−ｂにおいては、「１９９０年代」の楽曲が数多く存在しており、「１９８０年代」と「２０００年代」については数曲ずつのみ存在している。本実施の形態１では、複数曲からなるプレイリスト作成を目的としており、この場合、「１９８０年代」、「１９９０年代」、「２０００年代」と複数のカテゴリに分類はされるが、「１９８０年代」、「２０００年代」の分類は曲が少なくなりすぎてしまうので有効ではない。また、「１９９０年代」についても、ほとんど絞り込みの効果がなく有効ではない。このように楽曲情報に対してその具体値に該当する楽曲の分布に偏りがある場合は、この楽曲情報に対する分類は抽出しない。ただし、楽曲検索装置の目的が異なり、特定の１曲を探すための楽曲検索装置であるような場合には、分布の偏りによらず複数のカテゴリに分類されるものは全て抽出した方がよい場合もある。図２−ｃにおいては、「１９８０年代」、「１９９０年代」、「２０００年代」それぞれに曲が分布していて偏りがないので、これらの分類については抽出を行う。
【００３０】
以下、分類抽出部１０８について、楽曲情報の１つである「印象」を例に挙げて詳しく説明する。ここで楽曲の印象検索とは、あらかじめ楽曲の印象を表す印象値を設定しておき、楽曲の印象を表す語句（印象語）と印象値を対応させることにより、印象語による楽曲検索を行うことを可能とする技術である（特許文献２）。
【００３１】
本実施の形態１においては、楽曲の印象値を能動因子と情動因子との２つの印象値で表し、２次元空間上の一定の範囲に対して印象語と対応付けを行っておく（図３）。また、あらかじめ楽曲データベース１０２内に蓄積されているそれぞれの楽曲に対して印象値を算出して、楽曲情報データベース１０３に楽曲情報の１つとして印象値（または該当する印象語）を登録しておく。いま、楽曲検索部１０７で絞り込まれた楽曲群について、２次元の印象空間上にマッピングした図を示す（図４）。図４−ａにおいては、楽曲群の印象値が「ポップ系」の範囲にのみ存在しており、「ウキウキ系」は１曲、「癒し系」は該当曲がない。「ウキウキ系」の曲に関しては該当曲が１曲しか存在せず、複数曲からなるプレイリスト作成を目的上、有効な分類ではないので抽出しない。ただし、「ポップ系」は全体の曲に対して適当な数に絞り込まれるので、「ポップ系」については抽出するのが好ましい。図４−ｂにおいては、「ウキウキ系」、「ポップ系」、「癒し系」それぞれに曲が分布していて偏りがないので、これらの分類については抽出を行う。
【００３２】
カテゴリの分布によって分類を残すか外すかを機械的に調べる具体的な手法としては、下記のようなものがある。
【００３３】
楽曲情報ごとに分散値を求めて、分散値の高い楽曲情報の具体値（分類）を抽出する。
【００３４】
各楽曲情報の具体値の数を求めて、ある一定の範囲にある具体値のみを抽出する。
【００３５】
各楽曲情報の具体値の数を求めて、具体値の総数に対する各具体値の数の割合が一定の範囲にあるもののみを抽出する。
【００３６】
なお、「年代」、「印象」などの楽曲情報の種類に応じて、分類抽出部１０８の抽出方法を変更してもよい。
【００３７】
分類結果表示部１０９は、分類抽出部１０８によって選び出された楽曲の分類を一覧表示する。本実施の形態１においては、図５で示すように、表示する楽曲の分類をその分類が属する楽曲情報の種類ごとにまとめて表示するのが好ましい。また、その表示順は、楽曲情報指定部１０５で指定した１つめの楽曲情報の種類に対して、あらかじめ決定しておくのが好ましい。図６は、楽曲情報指定部１０５で「歌手名」を指定した場合の、分類結果表示部１０９における分類の表示順の例を示している。なお、分類を表示する順番については、これらに限定されるものではない。
【００３８】
分類結果指定部１１０は、分類結果表示部１０９によって表示された楽曲の分類の中から、タッチパネルやリモコン等の入力デバイスを使用してユーザーにそのうちの１つを指定させる。
【００３９】
検索結果表示部１１１は、分類結果指定部１１０で指定された分類に該当する楽曲一覧を表示する。
【００４０】
以下、実施の形態１に係る楽曲検索システムの処理の流れを説明する。図７は、実施の形態１に係る楽曲検索装置の処理の流れを示すフローチャートである。
【００４１】
まず、検索情報指定部１０５は、１つめの検索条件となる楽曲情報の種類を一覧表示して、ユーザーにそのうちの１つを指定させる（ステップＳ２０１）。次に、具体値指定部１０６は、ステップＳ２０１で指定された楽曲情報の種類の具体値で、楽曲情報データベース１０３に存在するもの全てを一覧表示してユーザーにそのうちの１つを指定させる（ステップＳ２０２）。そして、楽曲検索部１０７は、楽曲情報データベース１０３に存在する楽曲の中から、ステップＳ２０１、および、ステップＳ２０２で指定された検索条件に合致した曲を検索して、その検索結果を保持する（ステップＳ２０３）。さらに、分類抽出部１０８は、ステップＳ２０３において絞り込まれた楽曲について、ステップＳ２０１で指定された楽曲情報の種類以外の各楽曲情報における具体値の分布を調べ、各楽曲情報における具体値の分布が偏っていないもののみを自動的に抽出する（ステップＳ２０４）。そして、分類結果表示部１０９は、ステップＳ２０４において抽出された楽曲の分類を一覧表示する（ステップＳ２０５）。さらに、分類結果指定部１１０は、ステップＳ２０５によって表示された楽曲の分類の中から、ユーザーにそのうちの１つを指定させる（ステップＳ２０６）。最後に、検索結果表示部１１１は、ステップＳ２０６で指定された分類に該当する楽曲一覧を表示する（Ｓ２０７）。その後、ステップ２０７で表示された楽曲一覧をプレイリストとして再生を行う。
【００４２】
以上のように、実施の形態１によれば、少ない操作かつ少ない表示で、複数の検索条件を組み合わせた絞り込み選曲が実現できるため、車の中でも簡単かつ安全に楽曲の絞り込み検索を行うことが可能となる。
【産業上の利用可能性】
【００４３】
以上のように、本発明に係る楽曲検索装置は、楽曲検索装置において、１つめの楽曲情報の種類とその具体値の指定による絞り込み検索を行った後、検索結果に対して１つめに指定した楽曲情報以外の楽曲情報における具体値の中から適当なものだけを自動的に抽出して表示し、ユーザーに選択させることで、操作回数が少なく、第１条件検索後の分類一覧表示を適当な数に抑えた、絞り込み検索が可能となる。本発明に係る楽曲検索システムは、オーディオ機器、オーディオ機能付きカーナビ、携帯音楽プレーヤー、ＰＣ用音楽再生アプリケーションなどにおいて、検索によって楽曲の絞り込みを行うのに有効である。その中でも、操作の安全が求められる車内で使用するＨＤＤカーナビ等のオーディオ機能付きカーナビにおいて特に有効である。
【図面の簡単な説明】
【００４４】
【図１】本発明の実施の形態１に係る楽曲検索装置の構成の一部を示すブロック図
【図２】年代による分類抽出の例を示す図
【図３】印象語と印象値の対応例を示す図
【図４】印象による分類抽出の例を示す図
【図５】分類一覧表示の表示例を示す図
【図６】第１条件として歌手名を指定したときの分類一覧表示順の例を示す図
【図７】本発明の実施の形態１に係る楽曲検索システムの処理の流れを示すフローチャート
【符号の説明】
【００４５】
１０１    楽曲データ格納部
１０２    楽曲データベース
１０３    楽曲情報データベース
１０４    検索条件指定部
１０５    楽曲情報指定部
１０６    具体値指定部
１０７    楽曲検索部
１０８    分類抽出部
１０９    分類結果表示部
１１０    分類結果指定部
１１１    検索結果表示部
【図１】
2006293896.tif 000003
【図２】
2006293896.tif 000004
【図３】
2006293896.tif 000005
【図４】
2006293896.tif 000006
【図５】
2006293896.tif 000007
【図６】
2006293896.tif 000008
【図７】
2006293896.tif 000009